(57)【要約】【課題】  印刷機の版固定部に印刷版を取り付けるにあたって、両面粘着シートによる貼り付け作業を効率化して、１回の貼り付け作業で印刷版を版固定部に取り付け可能となる両面粘着シートを提供する。【解決手段】  両面粘着シート１は、層間剥離しやすい紙を所定の寸法にカットしてなる芯材１１の両面それぞれに、接着剤層、合成樹脂フィルム層、粘着剤層、剥離シートを順次積層したものである。積層部２１、２２は互いに同じ構造のものであり、芯材１１と合成樹脂フィルム１３との間に接着剤層１２が設けられ、合成樹脂フィルム１３と剥離シート１５との間に粘着剤層１４が設けられている。芯材１１として上質紙を用いることができるが、これに限定されるものではなく、新聞紙等を用いてもよい。【選択図】  図１
2005023279.tif 000002
【特許請求の範囲】
【請求項１】
層間剥離性を有する紙を芯材とし、この芯材の両面のそれぞれに、接着剤層、合成樹脂フィルム層、粘着剤層を積層し、この粘着剤層の少なくとも一方の外側に剥離シートを積層した両面粘着シート。
【請求項２】
前記芯材の厚みを５０μｍ以上１２０μｍ以下とした請求項１記載の両面粘着シート。
【請求項３】
前記合成樹脂フィルム層はポリエステルによって形成され、その厚みを９μｍ以上３８μｍ以下とし、引張強度を１．３ｋＮ／ｍ以上とした請求項１または２記載の両面粘着シート。
【請求項４】
前記粘着剤層は再剥離性を有する粘着剤からなることを特徴とする請求項１から３のいずれかに記載の両面粘着シート。
【発明の詳細な説明】
【技術分野】
【０００１】
本発明は、多色刷り印刷において印刷版を印刷機の版固定部に取り付けるのに使用される両面粘着シートに関する。
【背景技術】
【０００２】
ラベルなどの印刷においては、印刷機に取り付けた印刷版を逐次交換しながら多色刷り印刷が行われる。印刷機にはチェス盤といわれる版固定部があり、印刷版はこのチェス盤に両面粘着シートにより貼り付けて固定される。ここで使用される両面粘着シートは、合成樹脂フィルムの両面に粘着剤が塗布され、一面に剥離紙が積層されてロール状に巻かれた両面粘着テープを所定の長さにカットしたものである。
【０００３】
チェス盤への印刷版の取り付け作業は通常つぎのような手順で行われる。
（１）両面粘着テープを所定の長さにカットし、印刷版の裏面に両面粘着シートの一方の粘着面を貼る。
（２）印刷版の周囲に張り出した余分な両面粘着シートをカットする。
（３）両面粘着シートの剥離紙を剥がした他方の粘着面に新聞紙を貼る。ここで新聞紙を貼るのは、後述するように、次の印刷版と交換するときに剥ぎ取りやすくするためである。
（４）新聞紙の上からさらに両面粘着シートの一方の粘着面を貼る。
（５）印刷版の周囲に張り出した余分な両面粘着シートをカットする。
（６）両面粘着シートの剥離紙を剥がした他方の粘着面をチェス盤に貼り付けて、印刷版をチェス盤に固定する。
【０００４】
一つの色の印刷版による印刷が終わると、つぎの色の印刷版と交換するためにチェス盤に貼り付けた印刷版を取り外す。このとき、前述したように２枚の両面粘着シートの間に新聞紙が介在しているので、印刷版を剥がすように力を入れると、新聞紙がその隣の層から層間剥離してチェス盤と印刷版の両方に両面粘着シートが残ったまま印刷版はチェス盤から外れる。この後、チェス盤に残った両面粘着シートを剥がし、上記（１）から（６）の手順でつぎの色の印刷版をチェス盤に固定する。
【０００５】
つぎの色の印刷が終わると以上の作業を繰り返し、多色印刷が終了する。先に取り外した印刷版は、残った両面粘着シートを剥がしたうえで、繰り返し再使用されるか、あるいは別な印刷版の材料として再利用される。なお、印刷機によっては一つの版固定部に複数の印刷版を取り付けることもできるが（たとえば特許文献１参照）、この場合でも複数回の取り付け、取り外し作業が必要であることに変わりはない。
【０００６】
【特許文献１】特開昭６２−２６７１３５号公報（第２頁、第１図、第２図）
【発明の開示】
【発明が解決しようとする課題】
【０００７】
上述のように、従来の印刷版の版固定部への取り付け作業は、両面粘着シートの貼り付け、新聞紙の貼り付け、両面粘着シートの貼り付けという、３回の貼り付け作業が必要であり、作業者の負担が大きく、印刷の作業能率の阻害要因ともなっている。とくに多色印刷においては、色の数だけ印刷版があるので、貼り付け作業の効率化が望まれている。
【０００８】
本発明は、上記の問題点を解決するためになされたもので、印刷機の版固定部に印刷版を取り付けるにあたって、両面粘着シートによる貼り付け作業を効率化して、１回の貼り付け作業で印刷版を版固定部に取り付け可能となる両面粘着シートを提供することを目的とする。
【課題を解決するための手段】
【０００９】
本発明の両面粘着シートは、層間剥離性を有する紙を芯材とし、この芯材の両面のそれぞれに、接着剤層、合成樹脂フィルム層、粘着剤層を積層し、この粘着剤層の少なくとも一方の外側に剥離シートを積層した両面粘着である。
【００１０】
この構成とすることにより、両面粘着シートを使用して印刷機の版固定部に印刷版を取り付けるときに、１枚の両面粘着シートの貼着だけで印刷版を取り付けることができる。
【００１１】
従来の粘着シートでは、印刷版を取り付けるのに６工程を要していたものが、本発明の両面粘着シートでは、以下の２工程、すなわち
（１）両面粘着シートを印刷版の大きさに合わせてカットし、一方の剥離シートを剥離して両面粘着シートを印刷版の裏面に貼る工程。
（２）他方の剥離シートを剥離して、印刷版をチェス盤に貼り付けて固定する工程。
ですみ、取り付け作業の能率が大幅に向上する。
【００１２】
本発明の両面粘着シートにおいては、芯材の厚みを５０μｍ以上１２０μｍ以下とすることが好ましい。
芯材としての紙は、層間強度が低く層間剥離しやすい紙を用いるのがよいが、芯材の厚みが５０μｍより薄いと、剥離するときに芯材が破れやすい。また、芯材の厚みが１２０μｍを超えて厚くなると、両面粘着シートの厚みが厚くなって使用上不便となる。従って、芯材の厚みを５０μｍ以上１２０μｍ以下とすることにより、剥離するときに芯材が破れにくく、かつ、両面粘着シートの厚みが厚くなって使用上不便となることを防止できる。
【００１３】
本発明の両面粘着シートにおいては、前記合成樹脂フィルム層はポリエステルによって形成され、その厚みを９μｍ以上３８μｍ以下とし、引張強度を１．３ｋＮ／ｍ以上とすることが好ましい。
両面粘着シートに合成樹脂フィルム層を設けた理由は、両面粘着シートを剥がす際に、両面粘着シートが破れることを防止するためであるが、ポリエステルフィルムは使用される合成樹脂のなかでは、引張強度や引裂強度が強く、合成樹脂フィルム層として用いるのに適している。また、表面張力が小さいために、粘着剤が剥がれずに残ってしまう、いわゆる糊残りを生じにくい。
【００１４】
合成樹脂フィルム層の厚みが９μｍ未満であると、両面粘着シートを剥がすときに破れやすく、本発明の効果が得られにくい。また、３８μｍを超えると両面粘着シートの厚みが厚くなり、両面粘着シートの硬さが硬くなって使用上不便となる。
【００１５】
合成樹脂フィルム層の引張強度が１．３ｋＮ／ｍ未満であると、両面粘着シートを剥がすときに破れやすくなり本発明の効果が得られにくい。
また、前記粘着剤層は再剥離性を有する粘着剤からなることにより、両面粘着シートを剥がす際に、糊残りを生じにくい。この再剥離性を有するためには、これらの粘着剤層の接着力を１９６Ｎ／ｍ以上８５０Ｎ／ｍ以下（対ＳＵＳ）とすることが好ましい。
【発明の効果】
【００１６】
本発明によると、以下の効果を奏することができる。
（１）層間剥離性を有する紙を芯材とし、この芯材の両面のそれぞれに、接着剤層、合成樹脂フィルム層、粘着剤層を順次積層し、この粘着剤層の少なくとも一方の外側に剥離シートを積層したことにより、両面粘着シートを使用して印刷機の版固定部に印刷版を取り付けるときに、１枚の両面粘着シートの貼着だけで印刷版を取り付けることができ、組版作業の作業性が飛躍的に向上する。
【００１７】
（２）芯材の厚みを５０μｍ以上１２０μｍ以下とすることにより、剥離させるときに芯材が破れにくく、かつ、両面粘着シートの厚みが厚くなって使用上不便となることを防止できる。
【００１８】
（３）合成樹脂フィルム層はポリエステルによって形成され、その厚みを９μｍ以上３８μｍ以下とし、引張強度を１．３ｋＮ／ｍ以上とすることにより、両面粘着シートを剥がす際に、両面粘着シートが破れることを防止することができ、粘着剤が剥がれずに残ってしまう、いわゆる糊残りを生じにくい。
【００１９】
（４）粘着剤層は再剥離性を有する粘着剤からなることにより、両面粘着シートを剥がす際に、糊残りを生じにくい。
【発明を実施するための最良の形態】
【００２０】
以下に、本発明を実施するための最良の形態について説明する。
図１は本発明の実施形態における両面粘着シートの断面構造を示す図であり、図２は印刷版に両面粘着シートを貼り付けた状態を示す図である。なお、図１においてはシートの厚さを誇張して示している。
【００２１】
本実施形態の両面粘着シート１は、層間剥離しやすい紙を所定の寸法にカットしてなる芯材１１の両面それぞれに、接着剤層、合成樹脂フィルム層、粘着剤層、剥離シートを順次積層したものである。積層部２１、２２は互いに同じ構造のものであり、芯材１１と合成樹脂フィルム１３との間に接着剤層１２が設けられ、合成樹脂フィルム１３と剥離シート１５との間に粘着剤層１４が設けられている。芯材１１として上質紙を用いることができるが、これに限定されるものではなく、新聞紙等を用いてもよい。
【００２２】
この両面粘着シート１を用いて印刷版を印刷機のチェス盤に取り付けるには、図２に示すように、まず、両面粘着シート１の一方の剥離シート１５を剥がしたうえで、粘着剤層１４の面を印刷版２の裏面に貼り付けて、図２（ｂ）の状態とする。次に、残る他方の剥離シート１５を剥がして粘着剤層１４の面（図２（ｃ）の手前側の面）をチェス盤（図示せず）に貼り付けて固定する。このように、わずか２工程の作業でチェス盤への印刷版２の取り付けが終わるので、組版作業の効率が飛躍的に向上する。
【００２３】
なお、本実施形態の両面粘着シート１は長尺シートを所定の長さにカットした短尺シートとしてもよく、あるいは、比較的大きい径の巻芯に緩く巻けばロール状の長尺テープとすることもできる。また、ロール状の長尺テープとするときに、剥離シート１５を一方の側だけに設けて、露出する粘着剤層１４の粘着性によって両面粘着シート１を積層させ、使用時に必要な長さの分だけ両面粘着シート１を切り取って使用することもできる。
【産業上の利用可能性】
【００２４】
本発明は、多色刷り印刷において印刷版を印刷機の版固定部に取り付けるための両面粘着シートとして使用することができる。
【図面の簡単な説明】
【００２５】
【図１】本発明の実施形態における両面粘着シートの断面構造を示す図である。
【図２】印刷版に両面粘着シートを貼り付けた状態を示す図である。
【符号の説明】
【００２６】
１  両面粘着シート
２  印刷版
１１  芯材
１２  接着剤層
１３  合成樹脂フィルム
１４  粘着剤層
１５  剥離シート
２１，２２  積層部
【図１】
2005023279.tif 000003
【図２】
2005023279.tif 000004